(57)【要約】【課題】キーコードの設定変更が簡単かつ迅速に行なえる可変式シリンダー錠を提供する。【解決手段】外筒の内周面にキー挿入溝と連通する第１通し溝及び第２通し溝が形成され、幅広の第１通し溝には常用キーとチェンジキーの各背部が通過可能であり、幅狭の第２通し溝はチェンジキーの背部のみが通過可能である。相連通する内筒及び外筒の少なくとも一組のピン孔にはボトムピン、チェンジピン、ドライバーピン及びスプリングよりなるピン群が収容され、残余の組のピン孔にはボトムピン、ドライバーピン及びスプリングよりなる他のピン群が収容される。キーの挿入末端域においてキーが内筒の中心軸線と平行移動して、キーの背部が第１通し溝から脱出してキー挿入溝に入り込み、各キーの樋形状に傾斜形成されたキーコード用凹部によってボトムピンが押される。【選択図】図１２
2006083672.tif 000002
【特許請求の範囲】
【請求項１】
前後方向に嵌合孔が形成された外筒と、該嵌合孔に回転可能かつ軸方向に移動不能に嵌合される内筒と、該外筒と内筒に半径方向に形成された複数個のピン孔間を出入りするピン群と、該内筒の前後方向のキー挿入溝に挿入され、前記ピン群を移動させて内筒を外筒に対して回転可能または回転不能にする常用キーと、前記キー挿入溝に挿入され、キーコードを設定変更するチェンジキーとからなる可変式シリンダー錠であって、
前記外筒と内筒の複数個のピン孔は前後方向に整列して複数列に配置されており、外筒の前記嵌合孔の内周面には、内筒を回転させたとき内筒の前記キー挿入溝と連通する第１通し溝及び第２通し溝が前後方向に形成されており、第１通し溝は前記常用キーとチェンジキーの各背部が嵌合されるように幅広に設けられている一方、第２通し溝は前記チェンジキーの背部のみが嵌合されるように幅狭に設けられており、
内筒を回転させたとき相連通する内筒及び外筒の少なくとも一組の前記ピン孔にはボトムピン、チェンジピン、ドライバーピン及びスプリングよりなるピン群が収容される一方、残余の組の前記ピン孔にはボトムピン、ドライバーピン及びスプリングよりなる他のピン群が収容されており、
前記常用キーとチェンジキーの各腹部側面にはガイド溝が各キーの長さ方向に形成されており、前記内筒のキー挿入溝の入口部の内壁面には前記ガイド溝の先端側開口から前記ガイド溝に嵌合されるガイド突起が設けられており、前記内筒には前記キー挿入溝の奥端部に上向き勾配の傾斜カム面を有するカムが設けられており、前記ガイド溝の基端部には下がり勾配の傾斜溝部が前記傾斜カム面と平行に形成されており、該傾斜溝部の基端部には前記ガイド溝部の主体部と平行な延長溝部が形成されており、
前記常用キーとチェンジキーの各背部側面の各キーコード用凹部は前記傾斜カム面と平行な樋状に形成されて、その入口端が各背部端面に開口しており、
前記常用キーまたはチェンジキーを内筒の前記キー挿入溝に所定深さまで挿入するとき、挿入末端域において常用キーまたはチェンジキーが内筒の中心軸線と平行に移動して常用キーの背部またはチェンジキーの背部が前記第１通し溝または第２通し溝から脱出してキー挿入溝に入り込み、常用キーまたはチェンジキーのキーコード用凹部によって前記ボトムピンが押され、
前記常用キーまたはチェンジキーを所定の挿入末端域まで挿入したとき、前記ガイド突起が前記ガイド溝の前記延長溝部に係合するようにした可変式シリンダー錠。
【請求項２】
前後方向に嵌合孔が形成された外筒と、該嵌合孔に回転可能かつ軸方向に移動不能に嵌合される内筒と、該外筒と内筒に半径方向に形成された複数個のピン孔間を出入りするピン群と、該内筒の前後方向のキー挿入溝に挿入され、前記ピン群を移動させて内筒を外筒に対して回転可能または回転不能にする常用キーと、前記キー挿入溝に挿入され、キーコードを設定変更するチェンジキーとからなる可変式シリンダー錠であって、
前記外筒と内筒の複数個のピン孔は前後方向に整列して複数列に配置されており、外筒の前記嵌合孔の内周面には、内筒を回転させたとき内筒の前記キー挿入溝と連通する第１通し溝及び第２通し溝が前後方向に形成されており、第１通し溝は前記常用キーとチェンジキーの各背部が嵌合されるように幅広に設けられている一方、第２通し溝は前記チェンジキーの背部のみが嵌合されるように幅狭に設けられており、
内筒を回転させたとき相連通する内筒及び外筒の少なくとも一組の前記ピン孔にはボトムピン、チェンジピン、ドライバーピン及びスプリングよりなるピン群が収容される一方、残余の組の前記ピン孔にはボトムピン、ドライバーピン及びスプリングよりなる他のピン群が収容されており、
前記常用キーとチェンジキーの各腹部側面にはガイド溝が各キーの長さ方向に形成されており、前記内筒のキー挿入溝の入口部の内壁面には前記ガイド溝の先端側開口から前記ガイド溝に嵌合されるガイド突起が設けられており、前記内筒には前記キー挿入溝の奥端部に上向き勾配の傾斜カム面を有するカムが設けられており、前記ガイド溝の基端部には下がり勾配の傾斜溝部が前記傾斜カム面と平行に形成されており、
前記キー挿入溝と内筒外周面に各端が開口するストッパ収容孔を前記内筒の前端部に形成してあり、該ストッパ収容孔にストッパが両端開口方向に移動可能に収容されており、前記常用キーまたはチェンジキーの抜差し位置において、内筒の前記ストッパ収容孔に対面するストッパ係合凹部が外筒の前記嵌合孔の内面に形成されており、所定の挿入末端域まで挿入された位置において、内筒の前記ストッパ収容孔に対面するストッパ係合窪み部が前記常用キーとチェンジキーの側面に形成されており、
前記常用キーまたはチェンジキーを前記キー挿入溝に挿入した当初段階において、前記常用キーとチェンジキーの側面によって押された前記ストッパが、前記ストッパ収容孔と前記ストッパ係合凹部に跨って係合することによって、前記内筒の回転が阻止される一方、前記常用キーまたはチェンジキーを所定の挿入末端域まで挿入して前記内筒に回転モーメントを与えたとき、前記ストッパ係合凹部の内面に押された前記ストッパが、前記ストッパ収容孔と前記ストッパ係合窪み部に跨って係合することによって、前記内筒が回転可能となり、
前記常用キーまたはチェンジキーを内筒の前記キー挿入溝に所定深さまで挿入するとき、挿入末端域において常用キーまたはチェンジキーが内筒の中心軸線と平行に移動して常用キーの背部またはチェンジキーの背部が前記第１通し溝または第２通し溝から脱出してキー挿入溝に入り込み、常用キーまたはチェンジキーのキーコード用凹部によって前記ボトムピンが押されるようにした可変式シリンダー錠。
【請求項３】
前記ガイド溝の前記傾斜溝部の基端部には前記ガイド溝部の主体部と平行な延長溝部が形成されており、
前記常用キーまたはチェンジキーを所定の挿入末端域まで挿入したとき、前記ガイド突起が前記ガイド溝の前記延長溝部に係合するようにしたことを特徴とする請求項２に記載の可変式シリンダー錠。
【請求項４】
前記ガイド溝の先端部開口を先端に向かう程開口幅が広くなるようにＶ字状に形成したことを特徴とする請求項１から請求項３のいずれかに記載の可変式シリンダー錠。
【請求項５】
前記内筒の前記キー挿入溝の入り口部には前記ボトムピンの内端部を隠蔽する延長壁部が形成されており、前記常用キーとチェンジキーの各基端部には前記ガイド溝の前記傾斜溝部と平行に前記延長壁部用の逃げ凹部が形成されていることを特徴とする請求項１から請求項４のいずれかに記載の可変式シリンダー錠。
【請求項６】
前記第１通し溝の先端部内に突出する支持突起が前記外筒に設けられており、前記常用キーとチェンジキーを所定の挿入末端域まで挿入したとき、各キーの背部の先端部端面が前記支持突起に当接するように配置したことを特徴とする請求項１から請求項５のいずれかに記載の可変式シリンダー錠。
【発明の詳細な説明】
【技術分野】
【０００１】
本発明は、外筒に対して内筒を回動可能または回動不能にする常用キーのキーコードが必要に応じて設定変更できるピンタンブラ方式の可変式シリンダー錠の改良に関する。
【背景技術】
【０００２】
従来のピンタンブラ方式の可変式シリンダー錠は、前後方向に嵌合孔が形成された外筒と、該嵌合孔に回動可能かつ軸方向に移動不能に嵌合される内筒と、該外筒と内筒に半径方向に形成された複数個のピン孔間を出入りするピン群と、該内筒の前後方向のキー挿入溝に挿入され、前記ピン群を移動させて内筒を外筒に対して回転可能または回転不能にするキーとからなり、
前記外筒と内筒の複数個のピン孔は前後方向に整列して複数列に配置されており、外筒の前記嵌合孔の内周面には、内筒を回動させたとき内筒の前記キー挿入溝と連通する第１通し溝及び第２通し溝が前後方向に同等幅に形成されており、
内筒を回動させたとき相連通する内筒及び外筒の少なくとも一組の前記ピン孔にはボトムピン、チェンジピン、ドライバーピン及びスプリングよりなるピン群が収容される一方、残余の組の前記ピン孔にはボトムピン、ドライバーピン及びスプリングよりなる他のピン群が収容されており、
前記キーを内筒の前記キー挿入溝に所定深さまで挿入するとき、挿入末端域においてキーが内筒の中心軸線と平行に移動してキーの背部が前記第１通し溝から脱出してキー挿入溝に入り込み、キーのキーコード用凹凸部によって前記ボトムピンが押されるように構成されている（特許文献１参照）。
【０００３】
この可変式シリンダー錠では、キーコードの設定変更を終了した後、前記キーは背部を前記第２通し溝に嵌合された状態で内筒のキー挿入溝から抜き取られる一方、外筒に対して内筒を回転可能（解錠状態）から回転不能（施錠状態）に設定した後、前記キーは背部を前記第１通し溝に嵌合された状態で内筒のキー挿入溝から抜き取られるのであるが、前記第１通し溝と第２通し溝の幅寸法が同等に形成されているため、解施錠における内筒の回転域とキーコード設定変更における内筒の回転域は峻別されている。すなわち、解施錠における内筒の回転方向を時計回り方向とすれば、キーコード設定変更における内筒の回転方向は反時計回り方向に規定されている。
【０００４】
扉等の開閉体をボックス本体等の固定枠体に対して錠止する通常の使用形態では、固定枠体側に設置した受金体と係脱する止め金板が内筒の先端軸部に嵌合され、ボルトまたはナットによって内筒に締付け固着されており、解施錠における止め金板の回転方向と回転角度は、内筒の軸部に嵌合された規制円盤が外筒側の規制溝の端面壁に係脱することによって規制されている。
そのため、キーコードの設定変更を実行したいときには、前記ボルト・ナットによる締付け固着を解除して、前記規制円盤と止め金板を内筒の軸部から一旦取外し、キーコードの設定変更を終了した後、規制円盤と止め金板を内筒の前記軸部に再度嵌め合わせ、ボルト・ナットによって締付け固着し直さなければならす、この作業手間が煩雑であった。
【０００５】
また、前記可変式シリンダー錠では、前記キーの主体部分の横断面における縦寸法は、キー挿入溝の横断面における縦寸法と合致しているのであるが、キーの挿入当初から挿入末端域に近づくまでの間においては、キーの主端部分は前記キー挿入溝と前記第１通し溝にまたがって挿入される。そのため、第１通し溝の横断面における縦寸法が余剰寸法として存在することになり、キーの挿入過程においてキーの主体部分が内筒の中心軸線に対して振れる余地を与えることになる。この振れが大きいときには、キーの先端がボトムピンの内端部に突き当たってキーの以後の挿入が阻止されてしまい、キーの挿入をやり直さなければならなかった。あるいは、錠機構が故障したものと誤認され、錠の製造・販売元に補修交換が求められることにもなった。
【０００６】
可変式シリンダー錠を含めてピンタンブラー方式のシリンダー錠では、内筒の前記キー挿入溝を正面側から見たとき、ボトムピンの内側端部がキー挿入溝に現れているため、ピッキング用具による抉じ開けに対して弱いという難点があった。
【０００７】
【特許文献１】特開２００２−４６５７号公報
【発明の開示】
【発明が解決しようとする課題】
【０００８】
本発明の課題は、解施錠における内筒の回転域内にキーコード設定変更における内筒の回転域が包含されるため、規制円盤や止め金板を着脱するという余分の手間を必要とせずに、キーコードの設定変更が簡単かつ迅速に行なえる可変式シリンダー錠を提供することである。
本発明の別の課題は、キーの挿入が、キー自体の振れや内筒の不随意回転を伴わずに円滑に行われ、かつ、キーが挿入位置に安定に保持されるため、錠機構の故障と誤認される恐れがなく、作動の安定性に優れた可変式シリンダー錠を提供することである。
本発明の更に別の課題は、ボトムピンの内端部が内筒前面部の延長壁部で隠蔽されるため、キー挿入溝の正面側からのピッキング操作が容易でなく、セキュリティにおいて改善された可変式シリンダー錠を提供することである。
本発明の他の課題は、組み込みピンの耐久性の向上に資するとともに、キーの不正複製対策において有効な可変式シリンダー錠を提供することである。
【課題を解決するための手段】
【０００９】
請求項１の発明の可変式シリンダー錠は、前後方向に嵌合孔が形成された外筒と、該嵌合孔に回転可能かつ軸方向に移動不能に嵌合される内筒と、該外筒と内筒に半径方向に形成された複数個のピン孔間を出入りするピン群と、該内筒の前後方向のキー挿入溝に挿入され、前記ピン群を移動させて内筒を外筒に対して回転可能または回転不能にする常用キーと、前記キー挿入溝に挿入され、キーコードを設定変更するチェンジキーとからなる可変式シリンダー錠であって、
前記外筒と内筒の複数個のピン孔は前後方向に整列して複数列に配置されており、外筒の前記嵌合孔の内周面には、内筒を回転させたとき内筒の前記キー挿入溝と連通する第１通し溝及び第２通し溝が前後方向に形成されており、第１通し溝は前記常用キーとチェンジキーの各背部が嵌合されるように幅広に設けられている一方、第２通し溝は前記チェンジキーの背部のみが嵌合されるように幅狭に設けられており、
内筒を回転させたとき相連通する内筒及び外筒の少なくとも一組の前記ピン孔にはボトムピン、チェンジピン、ドライバーピン及びスプリングよりなるピン群が収容される一方、残余の組の前記ピン孔にはボトムピン、ドライバーピン及びスプリングよりなる他のピン群が収容されている。
【００１０】
前記常用キーとチェンジキーの各腹部側面にはガイド溝が各キーの長さ方向に形成されており、前記内筒のキー挿入溝の入口部の内壁面には前記ガイド溝の先端側開口から前記ガイド溝に嵌合されるガイド突起が設けられており、前記内筒には前記キー挿入溝の奥端部に上向き勾配の傾斜カム面を有するカムが設けられており、前記ガイド溝の基端部には下がり勾配の傾斜溝部が前記傾斜カム面と平行に形成されており、該傾斜溝部の基端部には前記ガイド溝部の主体部と平行な延長溝部が形成されており、
前記常用キーとチェンジキーの各背部側面の各キーコード用凹部は前記傾斜カム面と平行な樋状に形成されて、その入口端が各背部端面に開口しており、
前記常用キーまたはチェンジキーを内筒の前記キー挿入溝に所定深さまで挿入するとき、挿入末端域において常用キーまたはチェンジキーが内筒の中心軸線と平行に移動して常用キーの背部またはチェンジキーの背部が前記第１通し溝または第２通し溝から脱出してキー挿入溝に入り込み、常用キーまたはチェンジキーのキーコード用凹部によって前記ボトムピンが押され、
前記常用キーまたはチェンジキーを所定の挿入末端域まで挿入したとき、前記ガイド突起が前記ガイド溝の前記延長溝部に係合するように配置されている。
【００１１】
請求項２の発明の可変式シリンダー錠は、前後方向に嵌合孔が形成された外筒と、該嵌合孔に回転可能かつ軸方向に移動不能に嵌合される内筒と、該外筒と内筒に半径方向に形成された複数個のピン孔間を出入りするピン群と、該内筒の前後方向のキー挿入溝に挿入され、前記ピン群を移動させて内筒を外筒に対して回転可能または回転不能にする常用キーと、前記キー挿入溝に挿入され、キーコードを設定変更するチェンジキーとからなる可変式シリンダー錠であって、
前記外筒と内筒の複数個のピン孔は前後方向に整列して複数列に配置されており、外筒の前記嵌合孔の内周面には、内筒を回転させたとき内筒の前記キー挿入溝と連通する第１通し溝及び第２通し溝が前後方向に形成されており、第１通し溝は前記常用キーとチェンジキーの各背部が嵌合されるように幅広に設けられている一方、第２通し溝は前記チェンジキーの背部のみが嵌合されるように幅狭に設けられており、
内筒を回転させたとき相連通する内筒及び外筒の少なくとも一組の前記ピン孔にはボトムピン、チェンジピン、ドライバーピン及びスプリングよりなるピン群が収容される一方、残余の組の前記ピン孔にはボトムピン、ドライバーピン及びスプリングよりなる他のピン群が収容されている。
【００１２】
前記常用キーとチェンジキーの各腹部側面にはガイド溝が各キーの長さ方向に形成されており、前記内筒のキー挿入溝の入口部の内壁面には前記ガイド溝の先端側開口から前記ガイド溝に嵌合されるガイド突起が設けられており、前記内筒には前記キー挿入溝の奥端部に上向き勾配の傾斜カム面を有するカムが設けられており、前記ガイド溝の基端部には下がり勾配の傾斜溝部が前記傾斜カム面と平行に形成されており、
前記キー挿入溝と内筒外周面に各端が開口するストッパ収容孔を前記内筒の前端部に形成してあり、該ストッパ収容孔にストッパが両端開口方向に移動可能に収容されており、前記常用キーまたはチェンジキーの抜差し位置において、内筒の前記ストッパ収容孔に対面するストッパ係合凹部が外筒の前記嵌合孔の内面に形成されており、所定の挿入末端域まで挿入された位置において、内筒の前記ストッパ収容孔に対面するストッパ係合窪み部が前記常用キーとチェンジキーの側面に形成されている。
【００１３】
前記常用キーまたはチェンジキーを前記キー挿入溝に挿入した当初段階において、前記常用キーとチェンジキーの側面によって押された前記ストッパが、前記ストッパ収容孔と前記ストッパ係合凹部に跨って係合することによって、前記内筒の回転が阻止される一方、前記常用キーまたはチェンジキーを所定の挿入末端域まで挿入して前記内筒に回転モーメントを与えたとき、前記ストッパ係合凹部の内面に押された前記ストッパが、前記ストッパ収容孔と前記ストッパ係合窪み部に跨って係合することによって、前記内筒が回転可能となり、
前記常用キーまたはチェンジキーを内筒の前記キー挿入溝に所定深さまで挿入するとき、挿入末端域において常用キーまたはチェンジキーが内筒の中心軸線と平行に移動して常用キーの背部またはチェンジキーの背部が前記第１通し溝または第２通し溝から脱出してキー挿入溝に入り込み、常用キーまたはチェンジキーのキーコード用凹部によって前記ボトムピンが押されるように配置されている。
【００１４】
請求項３の発明の可変式シリンダー錠は、請求項２の発明の上記構成に加えて、前記ガイド溝の前記傾斜溝部の基端部には前記ガイド溝部の主体部と平行な延長溝部が形成されており、前記常用キーまたはチェンジキーを所定の挿入末端域まで挿入したとき、前記ガイド突起が前記ガイド溝の前記延長溝部に係合するように配置されている。
【００１５】
請求項４の発明の可変式シリンダー錠は、請求項１から請求項３のいずれかの発明の上記構成に加えて、前記ガイド溝の先端部開口を先端に向かう程開口幅が広くなるようにＶ字状に形成する。
【００１６】
請求項５の発明の可変式シリンダー錠は、請求項１から請求項４のいずれかの発明の上記構成に加えて、前記内筒の前記キー挿入溝の入り口部には前記ボトムピンの内端部を隠蔽する延長壁部が形成されており、前記常用キーとチェンジキーの各基端部には前記ガイド溝の前記傾斜溝部と平行に前記延長壁部用の逃げ凹部が形成されている。
【００１７】
請求項６の発明の可変式シリンダー錠は、請求項１から請求項５のいずれかの発明の上記構成に加えて、前記第１通し溝の先端部内に突出する支持突起が前記外筒に設けられており、前記常用キーとチェンジキーを所定の挿入末端域まで挿入したとき、各キーの背部の先端部端面が前記支持突起に当接するように配置する。
【発明の効果】
【００１８】
請求項１の発明の可変式シリンダー錠では、外筒の第１通し溝は常用キーとチェンジキーの各背部が嵌合されるように幅広に設けられている一方、第２通し溝はチェンジキーの背部のみが嵌合されるように幅狭に設けられており、解施錠における内筒の回転域とキーコード設定変更における内筒の回転域が同じであるか、あるいは、解施錠における内筒３の回転域内にキーコード設定変更における内筒３の回転域が含まれているため、規制円盤や止め金板をその都度着脱するという余分の手間を必要とせずに、キーコードの設定変更が簡単かつ迅速に行なえる。
また、前記常用キーまたはチェンジキーを所定の挿入末端域まで挿入したとき、前記ガイド突起が前記ガイド溝の前記延長溝部に係合するため、前記常用キーまたはチェンジキーは前記キー挿入溝の軸線に沿った真直ぐな挿入姿勢に安定に保持されることになり、前記常用キーまたはチェンジキーの先端側が揺振することがない。そのため、前記ボトムピンとドライバーピンの当接点、前記チェンジピンとドライバーピンの当接点もしくは前記ボトムピンとチェンジピンの当接点は、前記内筒の外周面と前記外筒の内周面間のシャーライン上に的確に維持されることになり、前記いずれかのピンが内筒の前記ピン孔に再係合して前記内筒の回転が制止される恐れなく、前記内筒を所要の角度まで円滑に回転操作することができる。かくして、安易に錠機構の故障と誤認される恐れがなく、作動の安定性に優れた可変式シリンダー錠が提供される。
更にまた、常用キーとチェンジキーの前記各キーコード用凹部は、樋状に傾斜形成されているため、キーコード用凹部とボトムピン先端部との係脱操作が無理な応力を発生させずに円滑になされ、ピンの耐久性が向上するとともに、この特殊形状のためにキーの不正複製に対して強いものとなる。
【００１９】
請求項２の発明の可変式シリンダー錠では、前記キー挿入溝と内筒外周面に各端が開口するストッパ収容孔を前記内筒の前端部に形成してあり、該ストッパ収容孔にストッパが両端開口方向に移動可能に収容されており、前記常用キーまたはチェンジキーの抜差し位置において、内筒の前記ストッパ収容孔に対面するストッパ係合凹部が外筒の前記嵌合孔の内面に形成されており、所定の挿入末端域まで挿入された位置において、内筒の前記ストッパ収容孔に対面するストッパ係合窪み部が前記常用キーとチェンジキーの側面に形成されており、
前記常用キーまたはチェンジキーを前記キー挿入溝に挿入した当初段階において、前記常用キーとチェンジキーの側面によって押された前記ストッパが、前記ストッパ収容孔と前記ストッパ係合凹部に跨って係合することによって、前記内筒の回転が阻止される一方、前記常用キーまたはチェンジキーを所定の挿入末端域まで挿入して前記内筒に回転モーメントを与えたとき、前記ストッパ係合凹部の内面に押された前記ストッパが、前記ストッパ収容孔と前記ストッパ係合窪み部に跨って係合することによって、前記内筒が回転可能となるように構成してあるため、前記常用キーまたはチェンジキーの挿入途中で前記内筒がズレ回転して、前記内筒側のピン孔と前記外筒側のピン孔の位置が狂うことがない。
このように前記内筒の不随意的な盲動回転が前記ストッパによって的確に抑止されているため、前記ボトムピン、チェンジピンおよびドライバーピンはキーコード用凹部の深浅に応じて円滑に前記各ピン孔内を移動することができ、キーコードに応じた施解錠が的確に実行されることになる。かくして、安易に錠機構の故障と誤認される恐れがなく、作動の安定性に優れた可変式シリンダー錠が提供される。
更にまた、常用キーとチェンジキーの前記各キーコード用凹部は、樋状に傾斜形成されているため、キーコード用凹部とボトムピン先端部との係脱操作が無理な応力を発生させずに円滑になされ、ピンの耐久性が向上するとともに、この特殊形状のためにキーの不正複製に対して強いものとなる。
【００２０】
請求項３の発明の可変式シリンダー錠では、前記ガイド溝の前記傾斜溝部の基端部には前記ガイド溝部の主体部と平行な延長溝部が形成されており、前記常用キーまたはチェンジキーを所定の挿入末端域まで挿入したとき、前記ガイド突起が前記ガイド溝の前記延長溝部に係合するため、前記常用キーまたはチェンジキーは前記キー挿入溝の軸線に沿った真直ぐな挿入姿勢に安定に保持されることになり、前記常用キーまたはチェンジキーの先端側が揺振することがない。そのため、前記ボトムピンとドライバーピンの当接点、前記チェンジピンとドライバーピンの当接点もしくは前記ボトムピンとチェンジピンの当接点は、前記内筒の外周面と前記外筒の内周面間のシャーライン上に的確に維持されることになり、前記いずれかのピンが内筒の前記ピン孔に再係合して前記内筒の回転が制止される恐れなく、前記内筒を所要の角度まで円滑に回転操作することができる。かくして、安易に錠機構の故障と誤認される恐れがなく、作動の安定性に優れた可変式シリンダー錠が提供される。
【００２１】
請求項４の発明の可変式シリンダー錠は、前記ガイド溝の先端部開口を先端に向かう程開口幅が広くなるようにＶ字状に形成してあるため、前記常用キー又はチェンジキーを前記内筒のキー挿入溝に挿入するに際しては、前記ガイド突起がＶ字状開口の傾斜内面に当ることによって、見掛け上、前記ガイド突起が前記ガイド溝に誘導されることになり、各キーの挿入が容易かつ的確におこなわれることになる。
【００２２】
請求項５の発明の可変式シリンダー錠では、前記内筒の前記キー挿入溝の入り口部には前記ボトムピンの内端部を隠蔽する延長壁部が形成されており、前記常用キーとチェンジキーの各基端部には前記ガイド溝の前記傾斜溝部と平行に前記延長壁部用の逃げ凹部が形成されているため、前記キー挿入溝の正面側からのピッキング操作が容易でなく、セキュリティにおいて改善される。
【００２３】
請求項６の発明の可変式シリンダー錠では、前記第１通し溝の先端部内に突出する支持突起が前記外筒に設けられており、前記常用キーとチェンジキーを所定の挿入末端域まで挿入したとき、各キーの背部の先端部端面が前記支持突起に当接するため、前記常用キーまたはチェンジキーは前記キー挿入溝の軸線に沿った真直ぐな挿入姿勢に安定に保持されることになり、前記常用キーまたはチェンジキーの先端側が揺振することがない。そのため、前記ボトムピンとドライバーピンの当接点、前記チェンジピンとドライバーピンの当接点もしくは前記ボトムピンとチェンジピンの当接点は、前記内筒の外周面と前記外筒の内周面間のシャーライン上に的確に維持されることになり、前記いずれかのピンが内筒の前記ピン孔に再係合して前記内筒の回転が制止される恐れなく、前記内筒を所要の角度まで円滑に回転操作することができる。かくして、安易に錠機構の故障と誤認される恐れがなく、作動の安定性に優れた可変式シリンダー錠が提供される。
【実施例】
【００２４】
本発明の一実施例を図１から図１８に基づいて説明する。
この可変式シリンダー錠１は、外筒２、内筒３、二種類のピン群４、５及び孔閉塞板６を有している。
外筒２の略円筒状本体２０の中心部に嵌合孔２１が形成されており、図１８に示したように外筒本体２０には外周面から嵌合孔２１に向けて４組のピン孔２２,２３,２４,２５の列が半径方向に形成されている。該ピン孔２２とピン孔２３の各孔列は、各５個の等ピッチで整列したピン孔によって構成されており、該ピン孔２４とピン孔２５の各孔列は各６個の等ピッチで整列したピン孔によって構成されている。
【００２５】
外筒２の中心に対するピン孔２２とピン孔２３の配置角度は４５度であり、ピン孔２３とピン孔２４の配置角度は９０度であり、ピン孔２４とピン孔２５の配置角度は４５度である。前記各ピン孔の外端部には孔閉塞板６の嵌合溝２６が形成されている。
外筒２には嵌合孔２１の内面部に略方形断面の第１通し溝２７と第２通し溝２８が前後方向に形成されており、図２に示したように第１通し溝２７と第２通し溝２８の前端は、嵌合孔２１の前端大径部２１ａに開口している。
前記各ピン孔の個数及び角度間隔は図示のものに限定されず、各ピッチは必ずしも等ピッチでなくてもよい。
【００２６】
外筒本体２０の嵌合孔２１の前端大径部２１ａには、内筒３の前端鍔部１２が嵌合されている。常用キーの抜差し位置においては、前端鍔部１２は第２通し溝２８を隠蔽している。内筒本体３０の中径軸部に形成した環状溝３３には止めリング１１が嵌合され、該止めリング１１は外筒本体２０の背面に当接することによって、内筒３の軸方向への移動を阻止している。
内筒本体３０には、図１８に示したように中央部にキー挿入溝３４が前後軸方向に形成され、キー挿入溝３４の両側面には２組のピン孔３５,３６の列が半径方向に形成されている。該ピン孔３５の孔列は６個の等ピッチで整列したピン孔によって構成されており、該ピン孔３６の孔列は７個の等ピッチで整列したピン孔によって構成されている。内筒３の中心に対するピン孔３５とピン孔３６の配置角度は１３５度であり、ピン孔３６とキー挿入孔３４の配置角度は１３５度であり、キー挿入溝３４とピン孔３５の配置角度は９０度である。各ピン孔３５，３６の内側端部はボトムピンの落ち込み阻止のために狭隘部を介してキー挿入溝３４に開口している。
内筒本体３０の前面部には斜め下向きに延長壁部３０ａが形成されており、キー挿入溝３４の入り口部の上辺部付近を隠蔽している。
【００２７】
図１に示したように常用キー８の抜差し位置においては、内筒３のキー挿入溝３４の幅広な内壁面に形成したピン孔３５が、図２に示したように外筒２のピン孔２２に連通する。例えば。図９に示したように内筒２の手前から１番目及び５番目のピン孔３５と、外筒２の手前から１番目及び５番目のピン孔２２には、ボトムピン４１、チェンジピン４２、ドライバーピン４３及びスプリング４４よりなるピン群４が収容されている。内筒２の手前から２番目，３番目，４番目及び６番目の各ピン孔３５と、外筒２の手前から２番目，３番目，４番目及び６番目の各ピン孔２２には、ボトムピン５１、ドライバーピン５３及びスプリング５４よりなる別のピン群５が収容されている。
また、常用キー８の抜差し位置においては、内筒３のキー挿入溝３４の隅角部に形成したピン孔３６が、外筒のピン孔２４に連通する。７組用意されているピン孔３６とピン孔２４の組合せのうち、ある組についてはボトムピン４１、チェンジピン４２、ドライバーピン４３及びスプリング４４よりなる前記ピン群４が収容され、残りの組については、ボトムピン５１，ドライバーピン５３及びスプリング５４よりなる前記ピン群５が収容されている。
【００２８】
図１７に示したように内筒本体３０の前端部に形成された横孔３７には、ピンよりなるガイド突起３８が挿し込み固着されており、ガイド突起３８の内端部はキー挿入溝３４の片側の内壁面より突出している。キー挿入溝３４の奥端部には、図２に示したように略直角三角形状のカム７が一体に形成されている。カム７は上向き勾配の傾斜カム面７１を有し、該傾斜カム面７１の上端には垂直停止面７２が形成されている。
内筒３の後端小径軸部３９には、回転角度制御用の規制円盤３２と止め金板３０が相対回転不能に嵌合され、ナット１９によって締付け固着される。
【００２９】
図３に示したように常用キー８の主体部分は背部８１と腹部８２とからなり、背部８１は図１０に示したように外筒２の第１通し溝２７に嵌合される。腹部８２の片側の側面には断面矩形状のガイド溝８３が常用キー８の長さ方向に形成されている。背部８１と腹部８２の先端面は斜め下向きのカム斜面８４に形成されており、ガイド溝８３の先端部８３ａはＶ字状に形成され、該カム斜面８４に開口している。カム斜面８４は、内筒３の前記カム７のカム斜面７１と平行に形成されている。ガイド溝８３の基端部には下がり勾配の傾斜溝部８５がカム斜面８４と平行に形成されている。該傾斜溝部８５の末端部には、ガイド溝８３の主体部分と平行に延長溝部８９が形成されている。
常用キー８の腹部８２には、図４及び図５に示したように２列のキーコード用凹部８６，８７が１３５度の配置間隔で側面部とエッジ部に形成されている。腹部８２の根元部には、内筒３の前記延長壁部３０ａが入り込む逃げ用凹部８８を斜め下向きに形成してある。
常用キー８の腹部８２の側面部に形成されたキーコード用凹部８６は、内筒３の前記カム７のカム斜面７１と平行な樋状に細長く形成されている。
【００３０】
図６に示したようにチェンジキー９の主体部分は背部９１と腹部９２とからなり、背部９１は図１３に示したように挿し込み時には外筒２の第１通し溝２７に嵌合され、抜き取り時には外筒２の第２通し溝２８を通過する。チェンジピン９の背部９１は、摘み部側の根元部分を除いて腹部９２よりも肉薄に形成されている。該腹部９２の片側の側面には断面矩形状のガイド溝９３がチェンジキー９の長さ方向に形成されている。背部９１と腹部９２の先端面は斜め下向きのカム斜面９４に形成されており、ガイド溝９３の先端は該カム斜面９４に開口している。カム斜面９４は、内筒３の前記カム７のカム斜面７１と平行に形成されている。ガイド溝９３の基端部には下がり勾配の傾斜溝部９５がカム斜面９４と平行に形成されている。該傾斜溝部９５の末端部には、ガイド溝９３の主体部分と平行に延長溝部９９が形成されている。
チェンジキー９の腹部９２には、図７及び図８に示したように２列のキーコード用凹部９６，９７が１３５度の配置間隔で側面部とエッジ部に形成されている。腹部９２の根元部には、内筒３の前記延長壁部３０ａが入り込む逃げ用凹部９８を斜め下向きに形成してある。チェンジキー９の腹部９２の側面部に形成されたキーコード用凹部９６は、内筒３の前記カム７のカム斜面７１と平行な樋状に細長く形成されている。
【００３１】
図１６に示したように内筒３の前端部には、キー挿入溝３４と内筒外周面に各端が開口するストッパ収容孔１３を形成してあり、ストッパ収容孔１３には球体より成るストッパ１４が両端開口方向に移動可能に収容されている。常用キー８またはチェンジキー９の抜差し位置において、ストッパ収容孔１３に対面するストッパ係合凹部１５が、外筒２の嵌合孔２１の内面に４５度間隔を置いて２個形成されている。常用キー８またはチェンジキー９が所定の挿入末端域まで挿入された位置において、内筒３のストッパ収容孔１３に対面するストッパ係合窪み部１６、１７が、常用キー８とチェンジキー９の側面にそれぞれ形成されている。
【００３２】
常用キー８またはチェンジキー９をキー挿入溝３４に挿入した当初段階において、常用キー８またはチェンジキー９の側面によって押されたストッパ１４が、ストッパ収容孔１３内を外向きに移動することによって、ストッパ１４がストッパ収容孔１３とストッパ係合凹部１５に跨って係合する。これによって内筒３が外筒２に対して錠止され、内筒３の回転が阻止される。常用キー８またはチェンジキー９を所定の挿入末端域まで挿入して内筒３に回転モーメントを与えたとき、ストッパ係合凹部１５の内面に押されたストッパ１４が内向きに移動して、ストッパ１４がストッパ収容孔１３とストッパ係合窪み部１６または１７に跨って係合する。これによって外筒２に対する内筒３の錠止が解除され、内筒３が回転可能となる。
図１９から図２１に示した別の実施例では、外筒２の先端部の半径方向の透孔にはピン状の支持突起７３が挿入固着してあり、支持突起７３は、第１通し溝２７内に突出しており、支持突起７３の先端は外筒２の嵌合孔２１の内面と同レベルに位置している。
【００３３】
この実施例の可変式シリンダー錠では、図１に示したように常用キー８を内筒３のキー挿入溝３４から抜き取った施錠状態では、図２に示したように各ピン群４のドライバーピン４３と各ピン群５のドライバーピン５３が、それぞれ外筒２のピン孔２２、２４と内筒３のピン孔３５、３６に跨って嵌合しているため、内筒３は外筒２に対して回転不能に拘束されている。このとき、外筒２のピン孔２３には別のドライバーピン４３の全体が嵌合しており、外筒のピン孔２５には別のドライバーピン５３の全体が嵌合している。
常用キー８を内筒３のキー挿入溝３４に差し込むと、ガイド突起３８とガイド溝８３の誘導作用によって常用キーの背部８１は第１通し溝２７の内底面に摺接した状態でキー挿入溝３４に挿入され、挿入過程において常用キー８が内筒３の中心軸線に対して揺振することがなく、一直線状に差し込まれる。そのため、常用キー８の先端がボトムピン４１，５１の内端部側面に突き当たって進行を阻止されることがない。
【００３４】
図１１に示したように外筒２の第１通し溝２７及び内筒３のキー挿入溝３４に対する常用キー８の挿入が挿入末端域の近くまで進行して、常用キー８のカム斜面８４が突起状カム７の傾斜カム面７１に突き当たったときには、ガイド突起３８はガイド溝８３の主体部分と傾斜溝部８５の交差部に来ている。この後、常用キー８を更に押し込むと、カム斜面８４と傾斜カム面７１の誘導作用及びガイド突起３８と傾斜溝部８５の誘導作用によって、常用キー８は内筒３の中心軸線と平行に移動して押し上げられる。
常用キー８の挿入の最終段階では、ガイド突起３８がガイド溝８３の延長溝部８９に係合する。また、図１９から図２１に示した別の実施例では、常用キー８の背部８１の先端部端面が支持突起７３の先端に当接する。
前記押し上げ動作によって常用キー８の背部８１は外筒２の第１通し溝２７から脱出し、腹部８２と背部８１の全断面が内筒３のキー挿入溝３４内に入り込み、腹部８２のキーコード用凹部８６，８７が対応するピン群４，５のボトムピン４１，５１を押し上げる。
【００３５】
各ピン群４，５の各ボトムピン４１，５１が所定距離押し上げられることによって、ピン群４においてはチェンジピン４２とドライバーピン４３の接触点が外筒２と内筒３間のシャーラインに移動し、ピン群５においてはボトムピン５１とドライバーピン５３の接触点が外筒２と内筒３間のシャーラインに移動する。そのため、外筒２に対する内筒３の回転拘束が解除されて解錠状態となる。
そこで、図１において内筒３を常用キー８によって時計回り方向に９０度回転させると、内筒３の後端小径軸部３９に装着された止め金板３０が固定枠体側の受金部（図示していない）から離脱し、扉が開放可能となる。
図１の常用キー抜差位置へ内筒３を９０度だけ逆回転させて、前記受金部に止め金板３０を再度係合させた後、常用キー８は内筒３のキー挿入溝３４から引き抜かれる。すなわち、本実施例の可変式シリンダー錠では、常用キー８は施錠位置の１箇所でのみ抜差することができる。
内筒３を施錠位置と解錠位置の間で回転操作するとき、内筒３のキー挿入溝３４が外筒２の第２通し溝２８に対面する位置に来るけれども、第２通し溝２８の円周方向の幅寸法は常用キー８の背部８１の板厚よりも狭く形成されているため、常用キー８の背部８１が第２通し溝２８内に落ち込むことはない。
【００３６】
それまで使用していた常用キー８を紛失したため、キーコードの設定変更を実行する必要が生じたときには、その従前の常用キー８に対応する従前のチェンジキー９を図１の常用キー抜差位置において内筒３に挿入する。この従前のチェンジキー９の挿入は、ガイド溝９３の先端開口９３ａを内筒３のガイド突起３８に位置合わせし、背部９１を外筒２の第１通し溝２７に位置合わせして行われる。
このとき、ガイド突起３８とガイド溝９３の誘導作用によって従前のチェンジキー９は、背部９１が第１通し溝２７の内底面に摺接した状態でキー挿入溝３４に挿入される。挿入過程においてチェンジキー９が内筒３の中心軸線に対して揺振したりすることがなく、一直線状に差し込まれる。そのため、チェンジキー９の先端がボトムピン４１，５１の内端部側面に突き当たって進行を阻止されることがない。
従前のチェンジキー９の挿入が進行して、従前のチェンジキー９のカム斜面９４がカム７の傾斜カム面７１に突き当たったときには、ガイド突起３８はガイド溝９３の主体部分と傾斜溝部９５の交差部付近に来ている。この後、従前のチェンジキー９を更に押し込むと、カム斜面９４と傾斜カム面７１の誘導作用及びガイド突起３８と傾斜溝部９５の誘導作用によって、従前のチェンジキー９は内筒３の中心軸線と平行に移動して押し上げられる。
従前のチェンジキー９の挿入の最終段階では、ガイド突起３８がガイド溝９３の延長溝部９９に係合するとともに、従前のチェンジキー９の背部９１の先端部端面が支持突起７３の先端に当接する。
【００３７】
この押し上げ動作によって従前のチェンジキー９の背部９１は外筒２の第１通し溝２７から脱出し、腹部９２と背部９１の全断面が内筒３のキー挿入溝３４内に入り込み、腹部９２のキーコード用凹凸部９６，９７が対応するピン群４，５のボトムピン４１，５１を押し上げ、外筒２に対する内筒３の回転拘束を解除する。
内筒３を従前のチェンジキー９によって図１のチェンジキー抜差位置まで４５度回転させると、内筒３のピン孔３５が外筒２のピン孔２３に対面する一方、内筒３のピン孔３６が外筒２のピン孔２５に対面しているから、従前のチェンジキー９を内筒３のキー挿入溝３４から引き抜くと、キーコード設定用凹９６，９７に対応してピン群５のボトムピン５１は外筒２のピン孔２３に適宜に出入りし、ピン群４のチェンジピン４２は外筒２のピン孔２５に適宜に出入りする。
従前のチェンジキー９を外筒２の第２通し溝２８を経由して抜き取った後、これから使用したい常用キー８に対応する新しいチェンジキー９を図１のチェンジキー抜差位置において内筒３に挿入する。
【００３８】
この新しいチェンジキー９の挿入は、ガイド溝９３の先端開口９３ａを内筒３のガイド突起３８に位置合わせし、背部９１を外筒２の第２通し溝２８に位置合わせして行われる。
前記ガイド突起３８とガイド溝９３の誘導作用によって、新しいチェンジキー９は背部９１が第２通し溝２８の内底面に摺接した状態でキー挿入溝３４に挿入される。挿入過程において新しいチェンジキー９が内筒３の中心軸線に対して揺振したりすることがなく、一直線状に差し込まれる。そのため、新しいチェンジキー９の先端がボトムピン４１，５１の内端部側面に突き当たって進行を阻止されることがない。
新しいチェンジキー９の挿入が進行して、先端カム斜面９４が前記カム７の傾斜カム面７１に突き当たったときには、ガイド突起３８はガイド溝９３の主体部分と傾斜溝部９５の交差部付近に来ている。この後、新しいチェンジキー９を更に押し込むと、カム斜面９４と傾斜カム面７１の誘導作用及びガイド突起３８と傾斜溝部９５の誘導作用によって、新しいチェンジキー９は内筒３の中心軸線と平行移動して押し上げられる。
新しいチェンジキー９の挿入の最終段階では、ガイド突起３８がガイド溝９３の延長溝部９９に係合する。また、図１９から図２１に示した別の実施例では、新しいチェンジキー９の背部９１の先端部端面が支持突起７３の先端に当接する。
【００３９】
前記押し上げ動作によって新しいチェンジキー９の背部９１は外筒２の第２通し溝２８から脱出し、腹部９２と背部９１の全断面が内筒３のキー挿入溝３４内に入り込み、腹部９２のキーコード用凹凸部９６，９７が対応するピン群４，５のボトムピン４１，５１を押し上げる。
この後、新しいチェンジキー９を図１の常用キー抜差位置に４５度逆回転させたときには、新しいチェンジキー９のキーコード設定用凹部９６，９７に対応して、各ピン群４のチェンジピン４２が外筒２のピン孔２４内に移動するか、内筒３のピン孔３６内に移動しており、チェンジピン４２が内筒３側に存在するか、あるいは外筒２側に存在するかによって、シリンダー錠１は新しいキーコードに設定変更され、そのキーコードを有する別の新しい常用キー８が使用可能となる。
キーコードの設定変更を完了した新しいチェンジキー９は、最後に図１の常用キー抜差位置において、外筒２の第１通し溝２７を経由して内筒３から抜き取れられる。
このように動作する本実施例の可変式シリンダー錠では、解施錠における内筒３の回転域内にキーコード設定変更における内筒３の回転域が包含されるため、キーコード設定変更に際して規制円盤や止め金板をその都度着脱する必要がない。
【００４０】
解施錠の実行やキーコードの設定変更における内筒３の回転角度は、上記角度に限定されず、ピン群４，５の列数や配置角度を調整すれば種々変更することができる。また、ガイド溝８３，９３もキー腹部８２，９２の左右両側に形成し、ガイド突起３８を左右一対に設けることもできる。また、解施錠における内筒３の回転域内にキーコード設定変更における内筒３の回転域を含ませることもできる。
【図面の簡単な説明】
【００４１】
【図１】本発明の一実施例に係る可変式シリンダー錠の正面図であり、施錠状態を示している。
【図２】図１のＡ‐Ａ断面図である。
【図３】図１の可変式シリンダー錠に使用する常用キーの右側面図である。
【図４】図３の常用キーの左側面図である。
【図５】図３のＣ−Ｃ線切断部拡大端面図である。
【図６】図１の可変式シリンダー錠に使用するチェンジキーの右側面図である。
【図７】図６のチェンジキーの左側面図である。
【図８】図６のＤ−Ｄ線切断部拡大端面図である。
【図９】図１のＢ−Ｂ線断面図である。
【図１０】図１の可変式シリンダー錠に図３の常用キーを挿入した当初段階における断面図である。
【図１１】常用キーを所定の挿入末端域の近くまで挿入した段階における断面図である。
【図１２】常用キーを所定の挿入末端域まで挿入した段階における断面図である。
【図１３】図１の可変式シリンダー錠に図６のチェンジキーを挿入した当初段階における断面図である。
【図１４】チェンジキーを所定の挿入末端域の近くまで挿入した段階における断面図である。
【図１５】チェンジキーを所定の挿入末端域まで挿入した段階における断面図である。
【図１６】図２のＥ−Ｅ線断面図である。
【図１７】図２のＦ−Ｆ線断面図である。
【図１８】図２のＧ−Ｇ線断面図である。
【図１９】本発明の別の実施例における図２に対応した断面図である。
【図２０】前記別の実施例における図１１に対応した断面図である。
【図２１】前記別の実施例における図１２に対応した断面図である。
【符号の説明】
【００４２】
１    可変式シリンダ錠
２    外筒
３    内筒
４    チェンジピンを含むピン群
５    チェンジピンを含まないピン群
６    孔閉塞板
７    カム体
８    常用キー
９    チェンジキー
１１    止めリング
１２    内筒の前端鍔部
１３    ストッパ収容孔
１４    球体状のストッパ
１５    ストッパ係合凹部
１６    ストッパ係合窪み部
１７    ストッパ係合窪み部
１８    座金
１９    ナット中央孔
２０    外筒本体
２１    嵌合孔
２１ａ  前端大径部
２２    ピン孔
２３    ピン孔
２４    ピン孔
２５    ピン孔
２６    嵌合溝
２７    第１通し溝
２８    第２通し溝
２９    止め金板
３０    内筒本体
３０ａ  延長壁部
３２    規制円盤
３３    環状溝
３４    キー挿入溝
３５    ピン孔
３６    ピン孔
３７    横孔
３８    ガイド突起
３９    後端小径軸部
４１    ボトムピン
４２    チェンジピン
４３    ドライバーピン
４４    スプリング
５１    ボトムピン
５３    ドライバーピン
５４    スプリング
７１    傾斜カム面
７２    垂直停止面
７３    支持突起ン
８１    常用キーの背部
８２    常用キーの腹部
８３    常用キーのガイド溝
８４    カム斜面
８５    傾斜溝部
８６    常用キーのキーコード用凹部
８７    常用キーのキーコード用凹部
８８    逃げ用凹部
８９    延長溝部
９１    チェンジキーの背部
９２    チェンジキーの腹部
９３    チェンジキーのガイド溝
９４    カム斜面
９５    傾斜溝部
９６    チェンジキーのキーコード用凹部
９７    チェンジキーのキーコード用凹部
９９    延長溝部
【図１】
2006083672.tif 000003
【図２】
2006083672.tif 000004
【図３】
2006083672.tif 000005
【図４】
2006083672.tif 000006
【図５】
2006083672.tif 000007
【図６】
2006083672.tif 000008
【図７】
2006083672.tif 000009
【図８】
2006083672.tif 000010
【図９】
2006083672.tif 000011
【図１０】
2006083672.tif 000012
【図１１】
2006083672.tif 000013
【図１２】
2006083672.tif 000014
【図１３】
2006083672.tif 000015
【図１４】
2006083672.tif 000016
【図１５】
2006083672.tif 000017
【図１６】
2006083672.tif 000018
【図１７】
2006083672.tif 000019
【図１８】
2006083672.tif 000020
【図１９】
2006083672.tif 000021
【図２０】
2006083672.tif 000022
【図２１】
2006083672.tif 000023